(57)【要約】【課題】何者かに持ち去られたような場合でも確実に不正使用を防止すると共に、不正に使用しようとする者を特定するための手掛かりを得ることができる撮影機能付き携帯端末装置を提供する。【解決手段】無線による通信機能と所定の暗証コードを入力して設定を解除しない限り操作部１０に対する操作の少なくとも一部を無効化するロック機能と、画像の撮影を行なう撮像部１８と、ロック機能の設定中に暗証コードの入力を検出すると、撮像部に撮影動作を行なわせると共に当該暗証コードが所定の暗証コードの入力か否かを判定し、所定の暗証コードの入力であると判定した場合にはロック機能の設定を解除し、所定の暗証コードの入力でないと判定した場合には撮像部の撮影した画像を所定の端末装置に送信する制御を行なう制御部２８とを有するようにした。【選択図】      図２
2005026730.tif 000002
【特許請求の範囲】
【請求項１】
無線による通信機能と所定の暗証コードを入力して設定を解除しない限り操作部に対する操作の少なくとも一部を無効化するロック機能と、
画像の撮影を行なう撮像部と、
前記ロック機能の設定中に暗証コードの入力を検出すると、前記撮像部に撮影動作を行なわせると共に当該暗証コードが前記所定の暗証コードの入力か否かを判定し、所定の暗証コードの入力であると判定した場合には前記ロック機能の設定を解除し、所定の暗証コードの入力でないと判定した場合には前記撮像部の撮影した画像を所定の端末装置に送信する制御を行なう制御部と
を有することを特徴とする撮影機能付き携帯端末装置。
【請求項２】
無線による通信機能と所定の暗証コードを入力して設定を解除しない限り操作部に対する操作の少なくとも一部を無効化するロック機能と、
画像の撮影を行なう撮像部と、
前記ロック機能の設定中に暗証コードの入力を検出すると、当該暗証コードが所定の暗証コードの入力か否かを判定し、所定の暗証コードの入力であると判定した場合には前記ロック機能の設定を解除し、所定の暗証コードの入力でないと判定した場合又は一定回数以上連続して所定の暗証コードの入力でないと判定した場合には前記撮像部に撮影動作を行なわせた後、撮影した画像を所定の端末装置に送信する制御を行なう制御部と
を有することを特徴とする撮影機能付き携帯端末装置。
【請求項３】
前記制御部は、前記ロック機能の設定中に所定の暗証コードと一致しない暗証コードの入力を所定回数以上検出した場合には、前記撮像部が撮影した画像を前記所定の端末装置とは別の端末装置に送信するように制御する請求項１又は請求項２に記載の撮影機能付き携帯端末装置。
【請求項４】
位置情報を取得する位置情報システム機能を更に有し、前記制御部による前記撮像部が撮影した画像の送信の際、前記位置情報システム機能により予め取得した位置情報を共に送信する請求項１ないし請求項３のいずれか一に記載の撮影機能付き携帯端末装置。
【請求項５】
前記制御部は、前記ロック機能の設定中に撮像部の映す映像について解析した照度及び／又は濃淡分布が所定の条件を満たさない場合は撮像部に撮影動作を行なわせないように制御する請求項１ないし請求項４のいずれか一に記載の撮影機能付き携帯端末装置。
【請求項６】
前記制御部は、前記ロック機能の設定中に他の端末装置から撮影指示の信号を受信した場合には、前記撮像部に撮影動作を行なわせるように制御する請求項１ないし請求項５のいずれか一に記載の撮影機能付き携帯端末装置。
【請求項７】
前記制御部は、前記他の端末装置から受信した撮影指示の信号に前記暗証コードが付加されている場合にのみ前記撮像部に撮影動作を行なわせるように制御する請求項６に記載の撮影機能付き携帯端末装置。
【発明の詳細な説明】
【０００１】
【発明の属する技術分野】
本発明は、操作部に対する操作を無効化してしまうロック機能及び撮影機能を備える撮影機能付き携帯端末装置に関し、特に他人による不正使用や盗難による紛失を防止することができる撮影機能付き携帯端末装置に関するものである。
【０００２】
【従来の技術】
従来の携帯端末装置には、ユーザー以外の者がこの携帯端末装置を不正に使用することができないようにするために、所定の暗証コードを入力して設定を解除しない限り、操作部に対する操作を無効化してしまうロック機能を備えるようにしたものがあった。
【０００３】
また、近時の携帯端末装置には、撮像部を備えて撮影機能を利用することができるようにしたものがあることに着目して、他人の不正使用を防止するために、この撮影機能を利用したものがあった（例えば、特許文献１参照）。
【０００４】
すなわち、この携帯端末装置は、操作部に対する操作を無効化してしまうロック機能の設定中に操作部が操作された場合に、撮像部に撮影動作を行なわせると共に、この撮影による画像と予め記憶したユーザーの顔の画像を比較することにより、操作した者がユーザーであると判定した場合には上記ロック機能を解除し、ユーザーではないと判定した場合にはロック機能を解除しないようになっていた。
【０００５】
【特許文献１】
特開２０００−１８４０５０号公報
【０００６】
【発明が解決しようとする課題】
しかしながら、携帯端末装置は持運びが自由であるため、不正使用のために持ち去られてしまうおそれがあるという問題があった。
【０００７】
そこで本発明は、上記問題点に鑑みて、何者かに持ち去られたような場合でも確実に不正使用を防止すると共に、不正に使用しようとする者を特定するための手掛かりを得ることができる撮影機能付き携帯端末装置を提供することを課題とするものである。
【０００８】
【課題を解決するための手段】
上記課題を解決するために、本発明による撮影機能付き携帯端末装置は、
無線による通信機能と所定の暗証コードを入力して設定を解除しない限り操作部に対する操作の少なくとも一部を無効化するロック機能と、
画像の撮影を行なう撮像部と、
前記ロック機能の設定中に暗証コードの入力を検出すると、前記撮像部に撮影動作を行なわせると共に当該暗証コードが前記所定の暗証コードの入力か否かを判定し、所定の暗証コードの入力であると判定した場合には前記ロック機能の設定を解除し、所定の暗証コードの入力でないと判定した場合には前記撮像部の撮影した画像を所定の端末装置に送信する制御を行なう制御部とを有することを特徴とするものである。
【０００９】
また、上記課題を解決するために、本発明による撮影機能付き携帯端末装置は、
無線による通信機能と所定の暗証コードを入力して設定を解除しない限り操作部に対する操作の少なくとも一部を無効化するロック機能と、
画像の撮影を行なう撮像部と、
前記ロック機能の設定中に暗証コードの入力を検出すると、当該暗証コードが所定の暗証コードの入力か否かを判定し、所定の暗証コードの入力であると判定した場合には前記ロック機能の設定を解除し、所定の暗証コードの入力でないと判定した場合又は一定回数以上連続して所定の暗証コードの入力でないと判定した場合には前記撮像部に撮影動作を行なわせた後、撮影した画像を所定の端末装置に送信する制御を行なう制御部とを有することを特徴とするものであってもよい。
【００１０】
また、本発明による撮影機能付き携帯端末装置は、
前記制御部は、前記ロック機能の設定中に所定の暗証コードと一致しない暗証コードの入力を所定回数以上検出した場合には、前記撮像部が撮影した画像を前記所定の端末装置とは別の端末装置に送信する制御を行なうようにすることができる。
【００１１】
また、本発明による撮影機能付き携帯端末装置は、
位置情報を取得する位置情報システム機能を更に有し、前記制御部による前記撮像部が撮影した画像の送信の際、前記位置情報システム機能により予め取得した位置情報を共に送信するようにすることができる。
【００１２】
また、本発明による撮影機能付き携帯端末装置は、
前記制御部は、前記ロック機能の設定中に撮像部の映す映像について解析した照度及び／又は濃淡分布が所定の条件を満たさない場合は撮像部に撮影動作を行なわせないように制御するようにすることができる。
【００１３】
また、本発明による撮影機能付き携帯端末装置は、
前記制御部は、前記ロック機能の設定中に他の端末装置から撮影指示の信号を受信した場合には、前記撮像部に撮影動作を行なわせるように制御するようにすることができる。
【００１４】
また、本発明による撮影機能付き携帯端末装置は、
前記制御部は、前記他の端末装置から受信した撮影指示の信号に前記暗証コードが付加されている場合にのみ前記撮像部に撮影動作を行なわせるように制御するようにすることができる。
【００１５】
【発明の実施の形態】
以下、本発明に係る撮影機能付き携帯端末装置の実施の形態について、図面に基づいて具体的に説明する。
【００１６】
図１ないし図４は、本発明の第１の実施の形態に係る撮影機能付き携帯電話機２（撮影機能付き携帯端末装置に相当）について説明するために参照する図である。
【００１７】
本実施の形態に係る撮影機能付き携帯電話機２は、従来の一般的な携帯電話機と同様に、無線によって通話や電子メールの送受信を行うことができるようになっており、電子メールには画像を添付することもできる。
【００１８】
また、この撮影機能付き携帯電話機２は、ＧＰＳ（Ｇｌｏｂａｌ  Ｐｏｓｉｔｉｏｎｉｎｇ  Ｓｙｓｔｅｍ）等の位置情報システムの機能を利用することにより、自己の所在する位置を割り出せるようになっている。
【００１９】
そして、図１に示すように、この撮影機能付き携帯電話機２は、表示部４とスピーカー６を有する第１筐体８、及び操作部１０とマイクロホン１２を有する第２筐体１４を備えて、第１筐体８と第２筐体１４は連結部１６で連結されて折り畳み自在になっている。
【００２０】
第１筐体８において表示部４の配置されている面には、ＣＣＤ（ＣｈａｒｇｅＣｏｕｐｌｅｄ  Ｄｅｖｉｃｅ）カメラ等の撮像部１８が設けられており、その撮像方向は表示部４の表示面と垂直の方向になっているので、この撮影機能付き携帯電話機２を保持して操作する者が表示部４を正面から見たときに、撮像方向がその者の顔が位置する方向に向くようになっている。
【００２１】
ここで、撮像部１８は、第１筐体８に設ける代わりに、第２筐体１４における操作部１０の配置されている操作面２０、または連結部１６に設けるようにしてもよいが、このような場合にも撮像部１８の撮像方向は、この撮影機能付き携帯電話機２を保持して操作する者の顔が位置する方向に向くようにする。
【００２２】
次に、図２は、撮影機能付き携帯電話機２の回路構成を示すブロック図である。この撮影機能付き携帯電話機２は、スピーカー６やマイクロホン１２の音声信号を処理する音声処理部２２、表示部４、操作部１０、撮像部１８、アンテナに接続された無線部２４及び記憶部２６が、制御部２８に制御されて動作するようになっている。
【００２３】
記憶部２６には、暗証コードを記憶させるための暗証コード領域３０、撮像部１８により撮影された画像とその撮影時刻のデータを一時的に記憶する一時保存領域３２、及び暗証コード入力の失敗回数を記憶する入力回数領域３４が割り付けられている。暗証コード領域３０には、ユーザーが操作部１０から任意の暗証コードを入力して記憶させることができる。
【００２４】
一時保存領域３２には、撮像部１８が撮影するごとに画像とその撮影時刻のデータが蓄積されていくようになっており、容量不足になった場合には、最も古いデータから順次削除されて、新しい画像とその撮影時刻のデータを記憶するための容量が確保されるようになっている。
【００２５】
また、この撮影機能付き携帯電話機２は、従来の携帯電話機と同様に、操作部１０に対する操作を無効化してしまうロック機能を備えており、ロック機能を設定するための一定の操作が行なわれると、制御部２８はロック機能を起動させ、操作部１０から何等かの信号を受信してもこれに対応する動作を行なわず、操作部１０から暗証コードの信号を受信した場合にのみロック機能を解除するように動作する。
【００２６】
なお、このようなロック機能による操作の無効化は、この撮影機能付き携帯電話機２が備える様々な機能のうちその一部だけが対象となるようにして、他の一部の機能については操作が行なわれた場合に制御部２８が対応する動作を行なうようになっていてもよい。
【００２７】
例えば、ロック機能の設定中に暗証コードを入力せずに主電源をＯＮ又はＯＦＦにするような操作がされた場合に、ロック機能の設定が解除されているときと同様に、主電源がＯＮ又はＯＦＦされるようになっていても本実施の形態に何等の影響もない。また、一部の機能だけがロック機能の対象となるようにして、少なくともユーザーのプライベートに関する情報の閲覧または通信料金が発生するような機能の処理動作だけを防ぐことができるようになっていてもよい。
【００２８】
そして、制御部２８は、上記ロック機能の設定中に操作部１０が操作されたような場合には、図３及び図４に示すフローチャートのような制御動作を行なうようになっている。
【００２９】
制御部２８は、操作部１０に対する操作を無効化してしまうロック機能が設定されると、図３に示すように、暗証コードの入力待ちの状態になり、操作部１０に対して何等かの操作が行なわれない限り、この状態を維持するようになっている（ステップＳ１のＮＯ）。そして、操作部１０に対して何等かの操作が行なわれると、暗証コードの入力操作が開始されたものと判断して撮像部１８を起動し、ステップＳ２に移行する（ステップＳ１のＹＥＳ）。
【００３０】
ステップＳ２に移行すると、制御部２８は、このとき撮像部１８に映っている映像に基づいて、撮影に適した所定の条件が整っているかどうかについて判断するようになっている。この判断手法として、制御部２８は、撮像部１８が映している映像を解析（画像処理及び画像認識）することにより照度及び映像の濃淡分布を抽出した後、一定の照度を有するかどうか及び映像内に一定以上の濃淡の差があるかどうかに基づいて撮影の適否を判断する。
【００３１】
例えば、撮像部１８のレンズが手の指などで覆い隠されてしまっているような場合には、制御部２８は一定の照度が得られないため撮影に適さないものと判断する。また、撮像部１８のレンズが薄い布などで覆い隠されてしまうことにより映像内に濃淡の差が生じないような場合には、制御部２８は撮像部１８のレンズが何等かの物体で覆われてしまっているため撮影には適さないものと判断する。
【００３２】
制御部２８は、撮影に適した所定の条件が整っていると判断した場合には（ステップＳ２のＹＥＳ）、撮像部１８に撮影動作を行なわせると共に、撮影した画像とその撮影時刻を記憶部２６の一時保存領域３２に記憶させる（ステップＳ３）。撮影に適した所定の条件が整っていないと判断した場合には（ステップＳ２のＮＯ）、撮影動作は行なわない。
【００３３】
次に、制御部２８は、ステップＳ１において操作部１０から入力された暗証コードが、記憶部２６の暗証コード領域３０に記憶されているものと一致するかどうかについて判断する（ステップＳ４）。一致して正しい暗証コードであると判断した場合には（ステップＳ４のＹＥＳ）、暗証コードの入力操作が正規のユーザーにより行なわれたものと判断して、ロック機能の設定を解除する（ステップＳ５）。
【００３４】
また、後述するように、このフローチャートは、ロック機能の設定が解除されない限り巡回するようになっているため、巡回するごとに記憶部２６の一時保存領域３２には画像とその撮影時刻のデータが蓄積されていき、また、入力回数領域３４に記憶される暗証コード入力の失敗回数が１回分ずつ加算されていくようになっている。
【００３５】
正しい暗証コードが入力されてステップＳ５に移行した場合には、これらの記憶内容は初期化されるようになっている。すなわち、一時保存領域３２の画像と撮影時刻のデータは全て削除され、入力回数領域３４の失敗回数は「０」にリセットされる。
【００３６】
なお、本実施の形態とは別の実施の形態として、ステップＳ４において、ステップＳ１で入力された暗証コードが記憶部２６の暗証コード領域３０に記憶されているものと一致すると判断した場合であっても（ステップＳ４のＹＥＳ）、ロック機能の設定を解除せずにステップＳ１の直前に戻るようにしてもよい。
【００３７】
次に、本実施の形態におけるステップＳ４において、ステップＳ１で入力された暗証コードが、記憶部２６の暗証コード領域３０に記憶されているものと一致しないと判断した場合には（ステップＳ４のＮＯ）、正規のユーザー以外の者が不正な操作をしたものと判断してステップＳ６に移行する。
【００３８】
ステップＳ６において、制御部２８は、記憶部２６の入力回数領域３４に記憶される暗証コード入力の失敗回数を１回分だけ加算する。また、位置情報システムの機能を起動して位置情報を取得すると共に、この位置情報及び記憶部２６の一時保存領域３２に記憶されている画像とその撮影時刻のデータを内容とする電子メールのデータを作成する。
【００３９】
次に、制御部２８は、ステップＳ７において記憶部２６の入力回数領域３４に記憶されている暗証コード入力の失敗回数が、所定回数以上であるかどうかについて判断する。所定回数に達していない場合には（ステップＳ７のＮＯ）、ステップＳ６において作成した電子メールのデータを、直ちに所定のメールアドレスの端末装置に送信させる（ステップＳ９）。このような所定のメールアドレスとして、例えば、この撮影機能付き携帯電話機２の正規のユーザーが所有するパーソナルコンピュータ等を予め指定しておくようにする。
【００４０】
また、記憶部２６の入力回数領域３４に記憶されている暗証コード入力の失敗回数が所定回数以上になった場合には（ステップＳ７のＹＥＳ）、電子メールの送信先を、所定のメールアドレスから別のメールアドレスの端末装置に変更してから送信を行なうようにする（ステップＳ８及びステップＳ９）。このような別のメールアドレスとして、例えば、警察や警備会社、或いはこの撮影機能付き携帯電話機２の通信を取り扱う通信業者等のような緊急送信先を指定するようにしてもよい。
【００４１】
制御部２８は、ステップＳ９における電子メールの送信が終了すると、この電子メールの送信の処理が正常に終了したかどうかについて判断する（図４のステップＳ１０）。正常に終了した場合には（ステップＳ１０のＹＥＳ）、図３のステップＳ１の直前に戻って、再び暗証コード入力待ち状態となる。
【００４２】
また、電子メールの送信を失敗した場合であって（図４のステップＳ１０のＮＯ）、その原因が電波圏外から送信していたことに基づくものである場合には（ステップＳ１１のＮＯ）、この撮影機能付き携帯電話機２が再度電波圏内に移動するまで待機して（ステップＳ１３）、電波圏内に移動したことを検出したときに電子メールを再送信するようにする（ステップＳ１５）。
【００４３】
また、電子メールの送信を失敗した場合であって（図４のステップＳ１０のＮＯ）、それが電波圏外から送信していたこと以外の原因に基づくものであった場合には（ステップＳ１１のＹＥＳ）、所定時間の経過を待ってから電子メールを再送信するようにする（ステップＳ１２及びステップＳ１５）。
【００４４】
また、電子メールの送信を失敗した後は、その原因によらずこれを再送信するまでの間に（ステップＳ１２又はステップＳ１３からステップＳ１５の間）、操作部１０に対して再び何等かの操作が行なわれたような場合には（ステップＳ１４のＹＥＳ）、電子メールの再送信はせずに、図３のステップＳ２の直前に戻るようになっている。
【００４５】
このような撮影機能付き携帯電話機２によれば、この撮影機能付き携帯電話機２を何者かが不正使用のために持ち去ってしまったような場合でも、ロック機能により不正使用を防止することができると共に、操作するごとに不正に使用しようとする者の顔などの画像を所定の端末装置に送信するようになっているので、この者を特定する手掛かりにすることができる。
【００４６】
また、撮影に適した条件が整った場合にのみ、撮像部１８に撮影動作を行なわせるようになっているので電力を節約することができると共に、利用可能な画像だけを電子メールで送信するようにすることができる。
【００４７】
また、送信する電子メールには画像データと共に位置情報も含まれるようになっているので、この撮影機能付き携帯電話機２の所在を知ることができるようになっている。したがって、この撮影機能付き携帯電話機２を紛失してしまうことをも防止することができる。
【００４８】
また、暗証コードの入力を所定回数以上失敗していることから不正使用を試みようとしている蓋然性が高いような場合に、電子メールの送信先をユーザーが所有するパーソナルコンピュータ等から、警察や警備会社或いは通信業者のような緊急送信先に変更するような利用方法が可能になるので、より迅速で適切な対処を行なうことができるようになる。
【００４９】
次に、第２の実施の形態に係る撮影機能付き携帯電話機４０について説明する。本実施の形態に係る撮影機能付き携帯電話機４０は、図１及び図２に示すように、第１の実施の形態に係る撮影機能付き携帯電話機２と同様の構成を有するものであるため、その重複する説明は省略するものとする。
【００５０】
そして、本実施の形態に係る撮影機能付き携帯電話機４０の制御部２８は、図４及び図５に示すフローチャートに基づいて動作するようになっている。すなわち、本実施の形態に係るフローチャートは、前記第１の実施の形態における図３及び図４のフローチャートのうち、図３に示す部分が、図５に示すものに入れ替わったものであり、図４に示す部分は同じである。
【００５１】
そして、図５に示すように、本実施の形態のフローチャートにおけるステップＳ２及びステップＳ３は、前記第１の実施の形態のフローチャートにおける図３中のステップＳ４及びステップＳ５に相当する。
【００５２】
また、本実施の形態のフローチャートにおける図５中のステップＳ４及びステップＳ５は、前記第１の実施の形態のフローチャートにおける図３中のステップＳ２及びステップＳ３に相当し、他の部分の各ステップは全く同様の動作を行なうようになっている。
【００５３】
したがって、前記第１の実施の形態と異なり、本実施の形態に係る撮影機能付き携帯電話機４０は、操作部１０に対して何等かの操作がされると（図５中のステップＳ１のＹＥＳ）、入力された操作内容が記憶部２６の暗証コード領域３０に記憶されている暗証コードと一致するかどうかについて、直ちに判断するようになっている（ステップＳ２）。
【００５４】
そして、操作部１０から入力された暗証コードが、記憶部２６の暗証コード領域３０に記憶されているものと一致する場合には（ステップＳ２のＹＥＳ）、暗証コードの入力操作が正規のユーザーにより行なわれたものと判断して、記憶部２６の一時保存領域３２と入力回数領域３４を初期化すると共に、ロック機能の設定を解除する（ステップＳ３）。
【００５５】
また、操作部１０から入力された暗証コードが、記憶部２６の暗証コード領域３０に記憶されているものと一致しない場合には（ステップＳ２のＮＯ）、正規のユーザー以外の者が不正な操作をしたものと判断して、ステップＳ４に移行する。
【００５６】
そして、制御部２８は、前記第１の実施の形態における図３中のステップＳ２及びステップＳ３と同様に、撮像部１８に映っている映像に基づいて撮影に適した所定の条件が整っているかどうかについて判断し（図５中のステップＳ４）、撮影に適した所定の条件が整っていると判断した場合にのみ撮像部１８に撮影動作を行なわせて、この画像を撮影時刻と共に記憶部２６の一時保存領域３２に記憶させるようになっている（ステップＳ４のＹＥＳ及びステップＳ５）。
【００５７】
そして、本実施の形態におけるステップＳ６以降の各ステップは、前記第１の実施の形態における図３のステップＳ６以降の各ステップと同様の動作を行なうようになっている。
【００５８】
このような撮影機能付き携帯電話機４０によれば、前記第１の実施の形態と同様に、この撮影機能付き携帯電話機４０を何者かが不正使用のために持ち去ってしまったような場合でも、ロック機能により不正使用を防止することができると共に、操作するごとに不正に使用しようとする者の顔などの画像を所定の端末装置に送信するようになっているので、この者を特定する手掛かりにすることができる。
【００５９】
また、撮影に適した条件が整った場合にのみ、撮像部１８に撮影動作を行なわせるようになっているので電力を節約することができると共に、利用可能な画像だけを電子メールで送信するようにすることができる。
【００６０】
また、送信する電子メールには画像データと共に位置情報も含まれるようになっているので、この撮影機能付き携帯電話機４０の所在を知ることができるようになっている。したがって、この撮影機能付き携帯電話機４０を紛失してしまうことをも防止することができる。
【００６１】
また、暗証コードの入力を所定回数以上失敗していることから不正使用を試みようとしている蓋然性が高いような場合に、電子メールの送信先をユーザーが所有するパーソナルコンピュータ等から、警察や警備会社或いは通信業者のような緊急送信先に変更するような利用方法が可能になるので、より迅速で適切な対処を行なうことができるようになる。
【００６２】
なお、前記第１及び第２の実施の形態に係る撮影機能付き携帯電話機２，４０は、ロック機能の設定中に操作部１０が操作されたような場合だけでなく、ロック機能の設定中に他の端末装置から撮影指示としての通話の発呼を受信したときに、撮像部１８に撮影動作を行なわせるようにしてもよい。
【００６３】
このように、ロック機能の設定中に他の端末装置から通話の着信を受けたときに撮影動作を行なうようになっていれば、何者かに撮影機能付き携帯電話機２，４０を持ち去られた場合に、他の電話機からこの撮影機能付き携帯電話機２，４０に通話の発信をすることにより、撮像部１８に撮影動作を行なわせることができるようになる。
【００６４】
また、このような場合には、受信した通話の発呼の信号に、記憶部２６の暗証コード領域３０に記憶させたものと同一の暗証コードが付加されている場合にのみ、撮影動作を行なわせるようにしてもよい。
【００６５】
また、前記第１及び第２の実施の形態においては、それぞれ図３中のステップＳ２、及び図５中のステップＳ４において、制御部２８が撮影に適した条件が整っているかどうかについて判断するようになっているが、画像処理や画像認識を行なう制御部が組み込まれた撮像ユニットを撮像部１８の代わりに設けて、この撮像ユニットが撮影に適した条件が整っているかどうかについて判断して、この結果を制御部２８に出力するようにしてもよい。
【００６６】
また、前記第１及び第２の実施の形態においては、本発明を撮影機能付き携帯電話機に適用した場合について説明したが、通信機能を備えるＰＤＡ（Ｐｅｒｓｏｎａｌ  Ｄｉｇｉｔａｌ  Ａｓｓｉｓｔａｎｔ）のような携帯電話機以外の撮影機能付き携帯端末装置にも、同様の技術的思想に基づいて本発明を適用することができることはいうまでもない。
【００６７】
【発明の効果】
以上説明したように、本発明の撮影機能付き携帯端末装置によれば、この撮影機能付き携帯端末装置を何者かが不正使用のために持ち去ってしまったような場合でも、ロック機能により不正使用を防止することができると共に、操作するごとに不正に使用しようとする者の顔などの画像を所定の端末装置に送信するようになっているので、この者を特定する手掛かりを得ることができる。
【図面の簡単な説明】
【図１】本発明の第１及び第２の実施の形態に係る撮影機能付き携帯電話機２，４０を示す斜視図である。
【図２】本発明の第１及び第２の実施の形態に係る撮影機能付き携帯電話機２，４０の回路構成を示すブロック図である。
【図３】本発明の第１の実施の形態に係る撮影機能付き携帯電話機２の動作手順を示すフローチャートである。
【図４】本発明の第１及び第２の実施の形態に係る撮影機能付き携帯電話機２，４０の動作手順を示すフローチャートである。
【図５】本発明の第２の実施の形態に係る撮影機能付き携帯電話機４０の動作手順を示すフローチャートである。
【符号の説明】
２  撮影機能付き携帯電話機
４  表示部
６  スピーカー
１０  操作部
１２  マイクロホン
１４  第２筐体
１６  連結部
１８  撮像部
２０  操作面
２２  音声処理部
２４  無線部
２６  記憶部
２８  制御部
３０  暗証コード領域
３２  一時保存領域
３４  入力回数領域
４０  撮影機能付き携帯電話機
【図１】
2005026730.tif 000003
【図２】
2005026730.tif 000004
【図３】
2005026730.tif 000005
【図４】
2005026730.tif 000006
【図５】
2005026730.tif 000007